(57)【特許請求の範囲】
【請求項１】
上面が開口した容器本体と、パウダーを充填され前記容器本体内部に着脱可能に取り付けられるレフィル容器とを有するパウダー容器であって、
前記レフィル容器の内側につまみ用の帯体を設け、
前記帯体は、前記充填された前記パウダーに隠蔽されるように配設され、且つ前記パウダーを消費することにより露出し、露出した前記帯体を引くことにより前記レフィル容器を前記容器本体より分離可能に構成したことを特徴とするパウダー容器。
【請求項２】
前記帯体とは前記レフィル容器の内面に係止あるいは貼着されていることを特徴とする請求項１記載のパウダー容器。
【発明の詳細な説明】
【０００１】
【発明の属する技術分野】
本発明はパウダーを充填したレフィル容器を容器本体内に着脱可能に取り付けられたパウダー容器に関するものであって、前記レフィル容器の着脱を容易にするものである。
【０００２】
【従来の技術】
資源の有効活用などの観点から、コンパクト容器やパウダー容器などにおいて内容物のみを詰め替えるレフィル構造を有することが望ましい。従来から、たとえばレフィル容器を接着剤等にて本体容器の底面に貼着するものや、パウダー容器の内側壁にリブを突設し、レフィル容器の上端部にフランジ部を形成して、該フランジ部の外形寸法を前記リブの内径寸法よりも大寸に形成することにより容器本体にレフィル容器を係止させた容器が生産されている。
【０００３】
【発明が解決しようとする課題】
上記した従来のパウダー容器のように、接着剤やフランジを使用してレフィル容器を容器本体に取り付ける場合、通常レフィル容器の端部が見えないよう組み込むことが外観上良好である。しかしこれでは分離させるにあたってつかみ所がなく、充分な力を加えにくいという問題がある。ここでレフィル容器の端部をなるべく少なく且つ露出させるためにスリットなどを設けることも考えられるが、別途道具が必要となってしまって分離に際して簡便でない。
【０００４】
そこで本発明の目的は、レフィル容器の端部が隠蔽されるよう組み込むことが可能であり、且つ分離に際して簡便に力を加えうるパウダー容器を提供することにある。
【０００５】
【課題を解決するための手段】
上記課題を解決するために本発明に係るパウダー容器は、上面が開口した容器本体と、パウダーを充填され前記容器本体内部に着脱可能に取り付けられるレフィル容器とを有するパウダー容器であって、前記レフィル容器の内側につまみ用の帯体を設け、前記帯体は、前記充填された前記パウダーに隠蔽されるように配設され、且つ前記パウダーを消費することにより露出し、露出した前記帯体を引くことにより前記レフィル容器を前記容器本体より分離可能に構成したことを特徴とする。
【０００６】
【発明の実施の形態】
本発明に係るパウダー容器の一実施形態について、図を用いて説明する。図１は本実施形態に係るパウダー容器の横断面図、図２はパウダー容器の斜視図、図３はレフィル容器の部分拡大断面図、図４はレフィル容器を分離する動作を説明する図、図５はレフィル容器にパウダーを充填する作業を説明する図、図６および図７はレフィル容器の他の構成を示す図である。
【０００７】
図１に示すように本実施形態に係るパウダー容器は、上面が開口した容器本体１、容器本体１を上方から覆う蓋体２、及び容器本体１内に組み付けられるレフィル容器５とを有している。また容器本体１上部には中蓋３が取り付けられ、パフ４を載置し得るよう構成されている。
【０００８】
使用を開始する前に於いては、レフィル容器５上面の開口部にはシール８が張り付けられており、パウダーを密封している。このシール８の上には、外周面をレフィル容器５の内周面と略等しく形成されたフレームに網を一体に取り付けた網皿10が載置されている。使用にあたってはシール８を剥がし、網皿10をレフィル容器５の内部に落としてパウダーの飛散を防止するよう構成されている。
【０００９】
図２に示すように、レフィル容器５には複数の係止爪５ｂが設けられており、これに対応して容器本体１に複数の係止溝１ａが設けられている。レフィル容器５を容器本体１内に挿入した際には、これら係止爪５ｂが係止溝１ａに係合することによって互いに接合される。
【００１０】
なお、レフィル容器５と容器本体１との接合は、レフィル容器５の底に接着剤や両面テープなどによって軽く接着する構造としても良く、またこれと係止爪５ｂを共に用いることでも良い。
【００１１】
またレフィル容器５の内面には、帯体であるリボン６が取り付けられている。リボン６は図３に示すようにスリット５ｄからレフィル容器５の外側に引き出され、ブロック７によって固定されている。これによってリボン６の接合部分を隠蔽すると共に、引っ張りに耐える接合強度を得ることができる。
【００１２】
なお、リボン６の取り付け方は上記に限定するものではなく、図６に示すように他の取り付け方でも良い。図6(a)は、ブロック７ａをレフィル容器５内面に取り付け、レフィル容器５の上部からリボン６がでるよう構成したものである。図6(b)はレフィル容器５の内底面にブロック７ｂを取り付け、レフィル容器５の底面よりリボン６が出るよう構成したものであり、パウダー９が消費される間、極力リボン６を隠蔽させることができる。また図6(c)はリボン６をレフィル容器５にインサート成型したものであり、構成部材を減少させて生産工程及び費用を低減させることができる。
【００１３】
レフィル容器５にパウダー９を充填する場合、図５に示すようにレフィル容器５は上部開口部をシール８によって密封され、レフィル容器５底部の注入口５ａからノズル11によりパウダー９を注入される。注入作業が完了した後には、注入口５ａは所定の板材またはシール材を溶着又は接着されて塞がれる。
【００１４】
ここでリボン６が自由に移動可能とすると、リボン６がシール８近傍に位置した状態でパウダー９が充填されてしまう。これでは使用に際してシール８を剥がした際に最初からリボン６がパウダー９の表面に露出することとなるため、美観を損ねる虞がある。そこで本発明に於いてはレフィル容器５の底面に爪５ｃを設け、リボン６を底面に留めることによってパウダー充填時にリボン６がレフィル容器の上部に偏ってしまうことを防止している。
【００１５】
また、単に底面に爪５ｃを設けるだけでなく、図７に示す如くレフィル容器５の底面に、少なくともリボン６より広い幅の溝５ｅを設けることでもよい。これによりリボン６がレフィル容器５の底面から突出する高さを緩和することができ、網皿10をレフィル容器５の底面に近接可能とし、パウダー９を無駄なく使用することができる。
【００１６】
なお、上記の如く爪５ｃを設けてリボン６を係止する他に、接着剤等によって６先端近傍をレフィル容器５底面に弱く接着しておくことでも良い。またこの場合においても、レフィル容器５底面に溝５ｅを設けることが好ましいのはいうまでもない。
【００１７】
上記の如く構成したパウダー容器を使用する際には、まずレフィル容器５からシール８を剥がし、用意された網皿10をレフィル容器５内に落とし込む。そして図4(a)に示すように、網皿10越しにパフ４にパウダー９を付着させつつ使用する。
【００１８】
そしてパウダー９を概ね消費するとリボン６が露出し、これを引き出すことができるようになる。そこで図4(b)に示す矢印Ｘのようにリボン６を引くことにより、係止溝１ａと係止爪５ｂとの係合が解除され、レフィル容器５を容器本体１から取り外すことができる。
【００１９】
すなわちリボン６はパウダーを消費する前は現れることなく、美観を損ねることはない。またリボン６を引いてレフィル容器５を取り外すよう構成したことにより、レフィル容器５の上面にに取り外しのための機能的な構造を設ける必要が無く、美観に優れた容器とすることができる。
【００２０】
【発明の効果】
上記の如く構成することにより、本発明に係るパウダー容器においては、レフィル容器の内側につまみ用の帯体を設けたことにより、パウダーを消費した後にこれを把持してレフィル容器を容器本体より取り外すことが可能となる。従ってレフィル容器を端部を露出させずに容器本体に組み込むことが可能であり、また分離に際して簡便に力を加えることができる。
【００２１】
また帯体をレフィル容器底面に係止又は接着したことにより、レフィル容器内にパウダーを充填する際に帯体を底面側に位置させることができ、パウダーがある程度消費されるまで帯体を隠しておくことができる。
【図面の簡単な説明】
【図１】本発明の実施形態に係るパウダー容器の横断面図である。
【図２】パウダー容器の斜視図である。
【図３】レフィル容器の部分拡大断面図である。
【図４】レフィル容器を分離する動作を説明する図である。
【図５】レフィル容器にパウダーを充填する作業を説明する図である。
【図６】レフィル容器の他の構成を示す図である。
【図７】レフィル容器の他の構成を示す図である。
【符号の説明】
１    …容器本体
１ａ  …係止溝
２    …蓋体
３    …中蓋
４    …パフ
５    …レフィル容器
５ａ  …注入口
５ｂ  …係止爪
５ｃ  …爪
５ｄ  …スリット
５ｅ  …溝
６    …リボン
７    …ブロック
８    …シール
９    …パウダー
10    …網皿
11    …ノズル
【図１】
0004111576.tif 000002
【図２】
0004111576.tif 000003
【図３】
0004111576.tif 000004
【図４】
0004111576.tif 000005
【図５】
0004111576.tif 000006
【図６】
0004111576.tif 000007
【図７】
0004111576.tif 000008